(57)【要約】【課題】調光機能を有する放電灯点灯装置において、待機電力を低減可能な放電灯点灯装置を提供する。【解決手段】放電灯点灯装置１０００は、直流変換回路２、リミッタ回路３、特性特性傾き回路４、消灯回路５、交流電源２０を入力すると得られる第１の制御電源６を有する調光信号処理回路７と、制御信号により制御されて動作し、高周波電力を発生するインバータ回路１０２と、インバータ回路１０２が発振することにより得られる第２の制御電源１０４とを備える。直流変換回路２と消灯回路５とは第１の制御電源で動作し、リミッタ回路３と特性傾き補正回路４とは、第２の制御電源で動作する。【選択図】図３
2011018556.tif 000002
【特許請求の範囲】
【請求項１】
交流電源の投入によって動作する放電灯点灯装置において、
制御信号を入力し、前記制御信号により制御されて発振し、高周波電力を発生するインバータ回路と、
ＰＷＭ（Ｐｕｌｓｅ  Ｗｉｄｔｈ  Ｍｏｄｕｌａｔｉｏｎ）信号を送出する調光信号送出装置からＰＷＭ信号を入力してＰＷＭ信号のデューティ比に応じた直流信号を生成する直流変換回路と、前記直流信号に応じて前記インバータ回路の停止と起動とを行う消灯回路と、前記直流信号の大きさを制限するリミッタ回路と、前記交流電源が投入されることにより得られる第１の制御電源とを有する調光信号処理回路と、
前記直流変換回路によって生成された前記直流信号に応じた前記制御信号を発生し、前記制御信号を前記インバータ回路に出力する制御信号発生部と、
前記インバータ回路が発振することにより得られる第２の制御電源と
を備え、
前記直流変換回路と消灯回路は、
前記第１の制御電源で動作し、
前記リミッタ回路は、
前記第２の制御電源で動作することを特徴とする放電灯点灯装置。
【請求項２】
前記消灯回路は、
前記リミッタ回路の制限を受けない前記直流信号に基づいて、前記インバータ回路の停止と起動とを行うことを特徴とする請求項１記載の放電灯点灯装置。
【請求項３】
前記リミッタ回路は、さらに、
高電位側から第１の抵抗、第２の抵抗、第３の抵抗の順に、３つの抵抗が直列接続された直列抵抗部を有し、
前記直流信号は、
前記直列抵抗部の合成抵抗に対する前記第１の抵抗の比率から上限値が決定され、前記直列抵抗部の合成抵抗に対する前記第３の抵抗の比率から下限値が決定されることを特徴とする請求項１または２のいずれかに記載の放電灯点灯装置。
【請求項４】
前記直列抵抗部は、さらに、
前記第２の抵抗と前記第３の抵抗との直列接続に対して並列に接続された第４の抵抗である可変抵抗を有することを特徴とする請求項３記載の放電灯点灯装置。
【請求項５】
前記第１の抵抗は、
可変抵抗であることを特徴とする請求項３または４のいずれかに記載の放電灯点灯装置。
【請求項６】
前記調光信号処理回路は、さらに、
前記直流変換回路によって生成された前記直流信号の大きさを補正する直流電圧補正回路を備えたことを特徴とする請求項１〜５のいずれかに記載の放電灯点灯装置。
【請求項７】
前記直流電圧補正回路は、
デューティ比の変化に対する直流信号の大きさの変化を示す変化率を補正することを特徴とする請求項６記載の放電灯点灯装置。
【請求項８】
前記直流電圧補正回路は、
前記第２の制御電源で動作することを特徴とする請求項６または７のいずれかに記載の放電灯点灯装置。
【請求項９】
請求項１〜８のいずれかに記載の放電灯点灯装置を備えた照明器具。
【請求項１０】
ＰＷＭ信号を出力する調光コントローラと、
この調光コントローラに接続される複数の請求項９に記載の照明器具と
を備えることを特徴とする照明制御システム。
【発明の詳細な説明】
【技術分野】
【０００１】
この発明は、調光機能を有する放電灯点灯装置に関する。
【背景技術】
【０００２】
従来、調光制御回路は先行事例（特許文献１：特開平１−７２４９７号公報）の第２図に示すような回路で構成されている。この方式において、調光制御回路の制御電源は全て制御電源Ｖｃｃから供給されている。調光信号制御回路は、調光から消灯、消灯から点灯の信号も処理しなければならないため、インバータの停止時、つまり、消灯時も動作しなくてはならない。よって、調光制御回路の電源は一般的に商用電源から得られていた。調光制御回路の制御電源を全て商用電源から得た場合、調光制御回路で消費する電流が多くなる程、消灯時の待機電力が大きくなるという課題があった。
【０００３】
また、特許文献２の図２、図３に示されるように、調光曲線は、ＪＩＳ−Ｃ８１２０（非特許文献１）に従わなければならず、特性カーブ及び上限値、下限値が任意に設定できるものでなくてはならず、調整機構を多数持たなくてはならないという課題があった。
【先行技術文献】
【特許文献】
【０００４】
【特許文献１】特開平１−７２４９７号公報
【特許文献２】特開２００３−３１７９９３号公報
【非特許文献】
【０００５】
【非特許文献１】ＪＩＳ−Ｃ８１２０
【発明の概要】
【発明が解決しようとする課題】
【０００６】
この発明は、調光機構を有する放電灯点灯装置において、待機電力を低減する放電灯点灯装置の提供を目的とする。また、調光のための調光機構が簡易な放電灯点灯装置の提供を目的とする。
【課題を解決するための手段】
【０００７】
この発明の放電灯点灯装置は、
交流電源の投入によって動作する放電灯点灯装置において、
制御信号を入力し、前記制御信号により制御されて発振し、高周波電力を発生するインバータ回路と、
ＰＷＭ（Ｐｕｌｓｅ  Ｗｉｄｔｈ  Ｍｏｄｕｌａｔｉｏｎ）信号を送出する調光信号送出装置からＰＷＭ信号を入力してＰＷＭ信号のデューティ比に応じた直流信号を生成する直流変換回路と、前記直流信号に応じて前記インバータ回路の停止と起動とを行う消灯回路と、前記直流信号の大きさを制限するリミッタ回路と、前記交流電源が投入されることにより得られる第１の制御電源とを有する調光信号処理回路と、
前記直流変換回路によって生成された前記直流信号に応じた前記制御信号を発生し、前記制御信号を前記インバータ回路に出力する制御信号発生部と、
前記インバータ回路が発振することにより得られる第２の制御電源と
を備え、
前記直流変換回路と消灯回路は、
前記第１の制御電源で動作し、
前記リミッタ回路は、
前記第２の制御電源で動作することを特徴とする。
【発明の効果】
【０００８】
この発明により、調光機能を有する放電灯点灯装置において、待機電力を低減可能な放電灯点灯装置を提供することができる。
【図面の簡単な説明】
【０００９】
【図１】実施の形態１における調光システムの構成図。
【図２】実施の形態１における調光信号処理回路７の回路図。
【図３】実施の形態１における調光信号処理回路７を有する放電灯点灯装置の回路図。
【図４】実施の形態１におけるディーティと光束出力との関係を示す図。
【発明を実施するための形態】
【００１０】
実施の形態１．
図１は実施の形態１における調光システムの構成図である。調光システムは調光信号（ＰＷＭ信号）を送出する調光信号送出装置１０（例えば、調光コントローラ）と、調光信号送出装置１０と信号線で接続された複数の照明器具Ａ〜Ｎとを備えている。各照明器具は後述する放電灯点灯装置１０００を備えている。各照明器具の放電灯点灯装置１０００は調光信号送出装置１０からのＰＷＭ信号を入力し、このＰＷＭ信号に従ってランプを調光制御する。
【００１１】
（調光信号処理回路７の構成）
図２は、本実施の形態１の放電灯点灯装置１０００の調光信号処理回路７の回路図である。図３は、調光信号処理回路７を含む放電灯点灯装置１０００の全体の回路構成を示している。図３において、調光信号送出装置１０、商用電源等の交流電源２０及び放電灯ＬＡ１は、放電灯点灯装置１０００の構成要素ではない。まず図２を参照して調光信号処理回路７の構成を説明する。調光信号処理回路７は、調光信号入力回路１、直流変換回路２、リミッタ回路３、特性傾き補正回路４（直流電圧補正回路）、消灯回路５、第１の制御電源６を備えている。
【００１２】
（１）調光信号入力回路１は、調光信号送出装置１０から調光信号であるＰＷＭ信号を入力する。
（２）直流変換回路２は、ＰＷＭ信号のデューティ比に応じた直流信号を生成する。
（３）リミッタ回路３は、生成された直流信号の大きさを制限する。
（４）特性傾き補正回路４は、直流変換回路２によって生成された直流信号の大きさを補正する。
（５）消灯回路５は、直流変換回路２によって生成された直流信号の大きさに応じてインバータ回路の停止と起動とを行う。
（６）第１の制御電源６は、交流電源２０が投入されることにより得られる。
【００１３】
図３を参照して放電灯点灯装置１０００の点灯機構の構成を説明する。図３の上部には、整流回路１００、アクティブフィルタ回路１０１、制御信号を入力して制御信号により制御され発振して高周波電力を発生するインバータ回路１０２、インバータ回路１０２が発振することにより得られる第２の制御電源１０４、負荷回路１０３、直流変換回路２によって生成された直流信号に応じた制御信号を発生し、制御信号をインバータ回路１０２に出力するインバータ制御装置１０５（制御信号発生部）等が示されおり、これらは放電灯点灯装置の一般的な構成である。
【００１４】
図３において、直流変換回路２と消灯回路５とは、第１の制御電源６で動作し、リミッタ回路３と特性傾き補正回路４とは、第２の制御電源１０４で動作する。
【００１５】
（放電灯点灯装置１０００の動作概要）
図３を参照して放電灯点灯装置１０００の動作概要を説明する。
（１）調光信号入力回路１が、調光信号送出装置１０から送出されたＰＷＭ信号を入力する。
（２）調光信号入力回路１の入力したＰＷＭ信号はフォトカプラＰＣ１によって２次側出力のＰＷＭ信号として出力される。
（３）直流変換回路２は、スイッチング素子Ｑ２〜Ｑ４のスイッチングにより、ＰＷＭ信号のデューティ比に応じた直流信号を生成する。
（４）この直流信号はリミッタ回路３から特性傾き補正回路４を経てインバータ制御装置１０５に入力される。
（５）インバータ制御装置１０５は入力された直流信号に応じた制御信号を発生し、この制御信号をインバータ回路１０２に出力する。
（６）インバータ回路１０２は、入力された制御信号により制御され発振して高周波電力を発生し、ランプＬＡ１を点灯させる。
（７）また、消灯回路５は、直流変換回路２によって生成された直流信号を監視しており、この直流信号に応じてインバータ回路１０２の停止と起動とを行う。
【００１６】
以下に、調光信号処理回路７の主要な要素についてさらに詳しく説明する。
【００１７】
（調光信号入力回路１：フォトカプラＰＣ１の１次側）
フォトカプラＰＣ１の１次側に構成される抵抗Ｒ１、Ｒ２、コンデンサＣ１、ブリッジを構成するダイオードＤ１、Ｄ２は、ＰＷＭ信号を入力する調光信号入力回路１を構成する。
【００１８】
（直流変換回路２：フォトカプラＰＣ１の２次側）
フォトカプラＰＣ１の２次側に配置される抵抗Ｒ３は、フォトカプラＰＣ１のスイッチングに伴いＦＥＴ（Ｑ２）をスイッチングさせるものである。ＦＥＴ（Ｑ３）、（Ｑ４）は、Ｐ−ＭＯＳ、Ｎ−ＭＯＳで構成されており、ＦＥＴ（Ｑ２）のスイッチングに伴いスイッチングするものである。抵抗Ｒ４は、ＦＥＴ（Ｑ３）、（Ｑ４）をスイッチングさせるものである。Ｖｃｃは定電圧の制御電源を示す。抵抗Ｒ７、コンデンサＣ３は、ＦＥＴ（Ｑ３）、（Ｑ４）のデューティに伴いその平均値を直流電圧として出力するものである。
【００１９】
（消灯回路５）
抵抗Ｒ１４、コンデンサＣ７は、ＦＥＴ（Ｑ３）、（Ｑ４）のデューティに伴いその平均値を直流電圧として出力するもので、この電圧レベルがトランジスタＱ５をＯＮさせるのに必要なベース、エミッタ電圧より低下すると、トランジスタＱ５がＯＦＦし、制御電源Ｖｃｃ１から抵抗Ｒ１５を介してＦＥＴ（Ｑ６）をＯＮさせることにより、制御電源Ｖｃｃ２をグランドに短絡する。すなわち消灯回路５は、リミッタ回路３の制限を受けない直流信号（直流電圧）に基づいて、インバータ回路の停止と起動とを行うものである。
【００２０】
（リミッタ回路３）
図４は放電灯点灯装置１０００によるランプの調光特性を示すグラフである。横軸がデューティ比、縦軸が光束出力を示す。また、直流変換回路２によって生成される直流電圧の大きさは、デューティ比が大きくなるほど小さいものとする。例えば、デューティ比「０％」で１０Ｖ、デューティ比「１００％」で０Ｖのような場合である。言い換えれば、直流電圧が大きいほど光束出力も大きいという関係である。
【００２１】
（１）ａ領域と第１の抵抗：
オペアンプＯＰ１は、図４に示す「ａ領域」（点１１〜点１２を結ぶフラットな直線部分）を構成するもので、抵抗Ｒ７、コンデンサＣ３により出力される調光信号のデューティに対する平均値を、抵抗Ｒ８Ａ、抵抗Ｒ８Ｂ、抵抗Ｒ９Ａからなる直列接続による直列抵抗部で制御電源Ｖｃｃ２を分圧して作られる基準値に従い一定にすることにより、上限限度値を決めることができる。図３に示すように高電位側から抵抗Ｒ８Ａ（第１の抵抗）、抵抗Ｒ８Ｂ（第２の抵抗）、抵抗Ｒ９Ａ（第３の抵抗）の順に、３つの抵抗が直列接続された直列抵抗部を構成している。ここでいう「上限限度値」とは、「ａの領域」を意味する。すなわち、抵抗Ｒ８Ａ、抵抗Ｒ８Ｂ、抵抗Ｒ９Ａの３つの抵抗からなる直列抵抗部の合成抵抗に対する抵抗Ｒ８Ａ（第１の抵抗）の比率を５％に設定することで、光束出力１００％の区間であるデューティ０〜５％区間（「ａ領域」）を得ることができる。すなわち、直列抵抗部の合成抵抗に対する抵抗Ｒ８Ａ（第１の抵抗）の比率を「Ｘ％」（図４ではＸ＝５の場合）に設定することで、光束出力の上限幅を「Ｘ％」に設定することができる。「上限限度値」を示す「ａの領域」は、ＰＷＭ信号から変換される直流電圧の上限値を示している。なお、この例では直流電圧が大きいほど光出力が大きい回路構成であるが、逆に直流電圧が大きいほど光出力が小さい回路構成の場合は、「ａの領域」は、ＰＷＭ信号から変換される直流電圧の下限値を示すこととなる。いずれの回路構成でもよいのは当然である。ここで、オペアンプＯＰ２の出力とオペアンプＯＰ１の出力を接続しないのは上限限度値に達したときにオペアンプの出力が短絡され、オペアンプに過電流が流れるためである。
【００２２】
（２）ｂ領域：
オペアンプＯＰ２は、図４に示す「ｂ領域」（例えば後述のｃ１領域が設定される場合は点１２、点１３を結ぶ直線部分）を構成するもので、抵抗Ｒ７、コンデンサＣ３により出力される調光信号のデューティに対する平均値を、後段の抵抗に影響されないように低インピーダンスで出力するものである。「ｂ領域」を示す直線ｙは対応するデューティｘの範囲で、
ｙ＝（−１００／９０）ｘ＋９５０／９、
である。特性傾き補正回路４は、この「ｂ領域」の傾きを補正する機能を有する。
【００２３】
（３）ｃ領域と第３の抵抗：
オペアンプＯＰ３は、図４に示す「ｃ領域」（一つはｃ３領域である点１７〜点１８を結ぶフラットな直線部分）を構成するもので、抵抗Ｒ７、コンデンサＣ３により出力される調光信号のデューティに対する平均値を、抵抗Ｒ８Ａ、Ｒ８Ｂと抵抗Ｒ９Ａで制御電源Ｖｃｃ２を分圧して作られる基準値に従い一定にすることにより、下限限度値を決め、２素子のダイオードＤ３によりＯＲ回路を構成しコンデンサＣ４に出力するものである。ここでいう「下限限度値」とは、ｃ３領域を例にとれば「ｃ３領域」自体を意味する。すなわち、「ａ領域」の場合と同様に抵抗Ｒ８Ａ、抵抗Ｒ８Ｂ、抵抗Ｒ９Ａの３つの抵抗からなる直列抵抗部の合成抵抗に対する抵抗Ｒ９Ａ（第３の抵抗）の比率をＹ％（ｃ３ではＹ＝１０）に設定することで、デューティが９０％〜１００％の１０％幅の区間である下限の「ｃ３領域」を得ることができる。また、「Ｙ＝２７．５」と設定することでデューティが７２．５％〜１００％の２７．５％幅区間であるｃ２領域（点１５、１６を結ぶフラットな直線）を得ることができ、「Ｙ＝４１」と設定することでデューティが５９％〜１００％の４１％幅区間であるｃ１（点１３、１４を結ぶフラットな直線）領域を得ることができる。なお「上限限度値」を示す「ａ領域」の場合と同様に、「ｃ領域」はＰＷＭ信号から変換される直流電圧の下限値を示している。そしてこの例ではＰＷＭ信号から変換された直流電圧が大きいほど光束出力が大きい回路構成であるが、逆に直流電圧が大きいほど光出力が小さい回路構成の場合は、「ｃ領域」は、直流電圧の上限値を示すこととなる。いずれの回路構成でもよいのは当然である。なお、基準値を超える部分にｃ領域がないのは消灯回路５がインバータ回路１０２の発振を停止するためである。
【００２４】
（４）ダイオードＤ４は、オペアンプＯＰ１の出力が抵抗Ｒ７、コンデンサＣ３により出力される調光信号のデューティに対する平均値に影響しないようにブロックするための目的に入れられている。
（５）ダイオードＤ５は、ダイオードＤ４のＶｆをキャンセルするために挿入される。ダイオードＤ５の効果により、Ｖｃｃ１＝Ｖｃｃ２の条件の下で図４に示す領域ａ、ｂ、ｃの調光信号デューティ比と、直列抵抗部の合成抵抗に対するそれぞれ抵抗Ｒ８Ａ、Ｒ８Ｂ、Ｒ９Ａの比率とを一致させることにより、容易に前述した上限及び下限限度値を設定することを可能としている。
【００２５】
（可変抵抗）
（６）また、可変抵抗ＶＲ１（第４の抵抗）は、抵抗Ｒ８Ｂ、Ｒ９Ａと並列に挿入されており、１個の可変抵抗により、上限、下限限度値を調整することを可能とする。また、抵抗Ｒ８Ａ（第１の抵抗）を可変抵抗とすることで、上限及び下限限度値の設定調整がさらに容易になる。抵抗Ｒ８Ａ抵抗とする場合は可変抵抗ＶＲ１（第４の抵抗）を挿入しもよいし、挿入しなくてもよい。
【００２６】
（特性傾き補正回路４）
次に特性傾き補正回路４について説明する。抵抗Ｒ１０、Ｒ１１、Ｒ１２は、図４に示す「ｂ領域」として示す直線の傾きを決める役割を有する。コンデンサＣ５は、抵抗Ｒ１０、Ｒ１１、Ｒ１２と共に値を平均値化するものである。抵抗Ｒ１０、Ｒ１１、Ｒ１２の役割を以下に説明する。以下の説明で使用する電流Ｉ１、Ｉ２、Ｉ３は図２に示したように、抵抗Ｒ１０、Ｒ１１、Ｒ１２を流れる電流である。図２に示すフィードバック目標Ｖｒｅｆの算出を説明する。
回路方程式を立てると以下の式となる。なお「＊」は乗算を示すものとする。
Ｒ１０＊Ｉ１＋Ｒ１２＊Ｉ３＝ＶＣ４          （式１）
Ｒ１１＊Ｉ２＋Ｒ１２＊Ｉ３＝Ｖｃｃｉｎｖ    （式２）
Ｉ１＋Ｉ２＝Ｉ３                            （式３）
（式１）〜（式３）から回路方程式を解くと以下の式となる。
Ｉ３＝（Ｒ１０＊Ｖｃｃｉｎｖ＋Ｒ１１＊ＶＣ４）／（Ｒ１０＊Ｒ１２＋Ｒ１１＊Ｒ１２＋Ｒ１０＊Ｒ１１）、
ＶＲ１２（Ｖｒｅｆ）＝（Ｒ１０＊Ｖｃｃｉｎｖ＋Ｒ１１＊ＶＣ４）＊Ｒ１２／（Ｒ１０＊Ｒ１２＋Ｒ１１＊Ｒ１２＋Ｒ１０＊Ｒ１１）
＝（Ｒ１０＊Ｒ１２）／（Ｒ１０＊Ｒ１２＋Ｒ１１＊Ｒ１２＋Ｒ１０＊Ｒ１１）＊Ｖｃｃｉｎｖ＋（Ｒ１１＊Ｒ１２）／（Ｒ１０＊Ｒ１２＋Ｒ１１＊Ｒ１２＋Ｒ１０＊Ｒ１１）＊ＶＣ４。
すなわちＶｒｅｆ電圧は、コンデンサＣ４の両端電圧の１次関数とＶｃｃｉｎｖ電圧の１次関数を加算した関数（直線）となる。つまり、これは前記直線の傾きを抵抗Ｒ１０，Ｒ１１，Ｒ１２により補正できることを意味している。
【００２７】
（第１の制御電源６）
第１の制御電源６（Ｖｃｃ１）は、商用電源である交流電源２０から平滑若しくは昇圧された電圧から、抵抗Ｒ１００で電流制限を行いツェナーダイオードＤｚ１で定電圧化したものである。
【００２８】
（第２の制御電源１０４）
第２の制御電源１０４（Ｖｃｃ２）はインバータ回路１０２が発振することにより生成される電源であり、コンデンサＣ１０３により電流制限を行い、ツェナーダイオードＤｚ１００で定電流化したものである。
【００２９】
第１の制御電源６（Ｖｃｃ１）には、直流変換回路２と消灯回路５が接続される。消灯回路５は、外部から入力される調光信号デューティが、例えば９０％から１００％の間に設定された基準値を超えると（すなわち、この基準値のデューティ比に対応する直流電圧を下回ると）、第２の制御電源１０４（Ｖｃｃ２）をＦＥＴ（Ｑ６）によりグランドにショートさせ、インバータ制御装置１０５の制御電源をなくすことにより、インバータ回路１０２の発振を停止させる。一方、消灯回路５は調光信号デューティが１００％から９０％の間に設定された前記基準値を下回ると（すなわち、この基準値のデューティ比に対応する直流電圧を超えると）、ＦＥＴ（Ｑ６）をＯＦＦすることによりインバータ回路１０２を再起動させる。よって、インバータ回路１０２のＯＮ、ＯＦＦを決定する消灯回路５及び消灯回路５の動作を決定する直流変換回路２は、交流電源２０が有効な限り動作させなければならない。このため、これらの回路は第１の制御電源６（Ｖｃｃ１）に接続される必要がある。
【００３０】
また、第２の制御電源１０４（Ｖｃｃ２）には、リミッタ回路３及び特性傾き補正回路４が接続される。これらの回路は、インバータ回路１０２の動作時の特性を決める回路であり、インバータ動作時に有効になっていれば良く、消灯時（インバータ停止時）には動作させる必要がない。また、これらの回路に使用されているオペアンプは消費電流が数ｍＡと高い。近年のインバータは、電源電圧フリー（１００〜２５４Ｖに共用）のものが多く、この電流を低電圧時（例えば、ＡＣ１００Ｖ時）に流せるような抵抗Ｒ１００の値（例えば、１００Ｖ時に１０ｍＡとすると、略１０ｋΩ）を決めると、高電圧時（例えば、ＡＣ２５４Ｖ時）にＲ１００のロス（１００Ｖ時１Ｗ、２５４Ｖ時６．４Ｗ）が非常に大きくなり、消灯時の待機電力が非常に大きくなる課題がある。この課題は、次のように解決できる。すなわち、交流電源２０から得られる第１の制御電源６（Ｖｃｃ１）に消費電流の少ない直流変換回路と消灯回路とを接続し、インバータ回路１０２から得られる第２の制御電源１０４（Ｖｃｃ２）に消費電流の大きいリミッタ回路３及び特性傾き補正回路４を接続する。これにより、消灯時（インバータ停止時）の待機電力を低減させることが可能となるので、前記課題を解決できる。
【符号の説明】
【００３１】
ＰＣ１  フォトカプラ、１  調光信号入力回路、２  直流変換回路、３  リミッタ回路、４  特性傾き補正回路、５  消灯回路、６  第１の制御電源、７  調光信号処理回路、１０  調光信号送出装置、１００  整流回路、１０１  アクティブフィルタ回路、１０２  インバータ回路、１０３  負荷回路、１０４  第２の制御電源、１０５  インバータ制御装置、１０００  放電灯点灯装置。
【図１】
2011018556.tif 000003
【図２】
2011018556.tif 000004
【図３】
2011018556.tif 000005
【図４】
2011018556.tif 000006